(57)【要約】【課題】固定子の軸方向に沿った移動を規制することができるとともに、固定子のハウジングへの固定を容易に行うことができる回転電機及び固定子の固定方法を提供する。【解決手段】電動モータにおいて、固定鉄心２２の外周面には、固定鉄心２２の軸方向一端側から他端側に向かって固定鉄心２２の周方向へ延びる係合突条２２ｂが形成されている。また、リヤハウジング１２の内周面には、リヤハウジング１２の軸方向一端側から他端側に向かってリヤハウジング１２の周方向へ延びる係合凹条１２ｆが形成されている。そして、固定鉄心２２は、係合突条２２ｂを係合凹条１２ｆに係合させることでリヤハウジング１２に固定されるとともに、固定鉄心２２（固定子）の軸方向への移動が規制されている。【選択図】図４
2011205845.tif 000002
【特許請求の範囲】
【請求項１】
ハウジング内に固定される固定子を有する回転電機において、
前記固定子における固定鉄心の外周面に、該固定鉄心の軸方向一端側から他端側に向かって前記固定鉄心の周方向へ延びる係合突条を形成するとともに、
前記ハウジングの内周面に、該ハウジングの軸方向一端側から他端側に向かって前記ハウジングの周方向へ延びる係合凹条を形成し、
前記係合突条を係合凹条に係合させて前記固定子が前記ハウジングに固定されている回転電機。
【請求項２】
前記固定鉄心は、複数の鋼鈑を積層して形成されるとともに、前記鋼鈑それぞれには周縁に突部が形成されており、前記係合突条は、前記突部が前記固定鉄心の周方向に順にずれていくように前記複数の鋼鈑を周方向に順にずらして積層することによって形成されている請求項１に記載の回転電機。
【請求項３】
前記係合突条及び係合凹状は螺旋状に延びるように形成されている請求項１又は請求項２に記載の回転電機。
【請求項４】
前記係合突条及び係合凹状は一対ずつ形成されている請求項１〜請求項３のうちいずれか一項に記載の回転電機。
【請求項５】
前記ハウジングの周方向に沿って前記係合突条に隣接し、かつ前記係合突条と係合凹条との間に形成される隙間には嵌合部材が嵌合される請求項１〜請求項４のうちいずれか一項に記載の回転電機。
【請求項６】
ハウジング内に固定される固定子を有する回転電機における前記固定子の前記ハウジングへの固定方法であって、
前記固定子における固定鉄心の外周面に、該固定鉄心の軸方向一端側から他端側に向かって前記固定鉄心の周方向へ延びる係合突条を形成するとともに、前記ハウジングの内周面に、該ハウジングの軸方向一端側から他端側に向かって前記ハウジングの周方向へ延びる係合凹条を形成し、
前記係合突条の他端を前記係合凹条の一端に挿入し、
前記固定子を前記固定鉄心の中心軸を回転中心として回転させながら固定子を前記ハウジング内へ送り込み、
前記係合突条を前記係合凹条に係合させて前記固定子を前記ハウジングに固定する固定子の固定方法。
【請求項７】
前記ハウジングの周方向に沿って前記係合突条に隣接し、かつ前記係合突条と係合凹条との間に形成される隙間に嵌合部材を嵌合する請求項６に記載の固定子の固定方法。
【発明の詳細な説明】
【技術分野】
【０００１】
本発明は、ハウジング内に固定される固定子を有する回転電機及び固定子の固定方法に関する。
【背景技術】
【０００２】
例えば、車両空調装置に用いられる圧縮機として電動圧縮機が用いられるとともに、この電動圧縮機は電動モータを一体に備えている。電動モータは、環状の固定子と、固定子の内方において回転軸に設けられた回転子とからなっている。固定子は、円環状の固定鉄心と、この固定鉄心に巻き付けられたコイルとからなる。そして、固定子は、固定鉄心をハウジングの内面に固定することでハウジングに固定されている。
【０００３】
一般に、固定鉄心は、焼き嵌めによってハウジングに固定されている。この焼き嵌めは、ハウジングが加熱膨張された後に、そのハウジング内に固定鉄心を入れ、ハウジングを冷却させて常温への移行に伴う収縮によって固定鉄心の外周面にハウジングの内周面を圧接させることにより行われる。
【０００４】
しかし、焼き嵌めは、ハウジングの加熱工程、固定鉄心の挿入工程、及びハウジングの冷却工程を必要としタクトタイムが長い。また、ハウジングが収縮する際、固定鉄心が径方向外側から内側に向けて押圧される。このため、押圧に伴う応力によって固定鉄心が真円状からずれる可能性が大きく、固定鉄心が真円状からずれてしまうと、固定鉄心の内周面と回転子の外周面との間の間隔が、回転子の周方向の全周にわたって均一にならず、回転する電動モータのハウジングの振動が大きくなってしまう。
【０００５】
そこで、焼き嵌め以外の方法で、ハウジングに固定鉄心を固定する方法として、例えば、特許文献１が挙げられる。特許文献１において、固定電機子鉄心（固定鉄心）の外周部には、キー状の突起部が複数設けられるとともに、ケース（ハウジング）の内周面には、突起部に対応するインローが形成されている。そして、固定電機子鉄心の外周部に接着剤を塗布した後、突起部をインローに挿入することにより、固定電機子とケースとが組み立てられる。
【先行技術文献】
【特許文献】
【０００６】
【特許文献１】特開平４−３６８４３８号公報
【発明の概要】
【発明が解決しようとする課題】
【０００７】
ところが、特許文献１では、固定電機子がその軸方向に沿ってケースに対し移動してしまうことを規制するために、接着剤を固定電機子鉄心の外周部に塗布する必要があり、固定電機子のケースへの固定が面倒であるという問題があった。
【０００８】
本発明は、上記従来の問題に鑑みてなされたものであって、その目的は、固定子の軸方向に沿った移動を規制することができるとともに、固定子のハウジングへの固定を容易に行うことができる回転電機及び固定子の固定方法を提供することにある。
【課題を解決するための手段】
【０００９】
上記問題点を解決するために、請求項１に記載の発明は、ハウジング内に固定される固定子を有する回転電機において、前記固定子における固定鉄心の外周面に、該固定鉄心の軸方向一端側から他端側に向かって前記固定鉄心の周方向へ延びる係合突条を形成するとともに、前記ハウジングの内周面に、該ハウジングの軸方向一端側から他端側に向かって前記ハウジングの周方向へ延びる係合凹条を形成し、前記係合突条を係合凹条に係合させて前記固定子が前記ハウジングに固定されている。なお、係合突条が延びる「周方向」とは、固定鉄心の軸方向に対し直交するように固定鉄心の周面に沿って延びる方向のことを示すのではなく、固定鉄心の軸方向に対し傾斜するように固定鉄心の一端側から他端側へ向けて固定鉄心の周面に沿って延びる方向のことを示すものとする。
【００１０】
これによれば、係合突条と係合凹条とがそれぞれ周方向へ延びるように形成されている。このため、係合突条と係合凹条とが係合すると、固定子が軸方向へ移動しようとしても、係合凹条の内面に係合突条が係合し、固定子がその軸方向に沿ってハウジングに対し移動することを規制することができる。したがって、固定子の軸方向への移動を規制するために、固定子の外周面に接着剤を塗布する必要がなく、固定子のハウジングへの固定を容易に行うことができる。
【００１１】
また、前記固定鉄心は、複数の鋼鈑を積層して形成されるとともに、前記鋼鈑それぞれには周縁に突部が形成されており、前記係合突条は、前記突部が前記固定鉄心の周方向に順にずれていくように前記複数の鋼鈑を周方向に順にずらして積層することによって形成されていてもよい。これによれば、係合突条を、固定鉄心に簡単に形成することができる。
【００１２】
また、前記係合突条及び係合凹状は螺旋状に延びるように形成されていてもよい。これによれば、係合突条により固定鉄心の外周面を螺子状にすることができ、係合凹条によりハウジングの内周面を螺子孔状にすることができる。よって、螺子孔に螺子を螺合するように、固定子をハウジングに固定することができる。
【００１３】
また、前記係合突条及び係合凹状は一対ずつ形成されていてもよい。これによれば、係合突条と係合凹条との間に、ハウジングの周方向へ延びる隙間が形成されても、その隙間での係合突条の可動範囲を、係合突条と係合凹条が一つずつの場合と比べて小さくすることができる。
【００１４】
また、前記ハウジングの周方向に沿って前記係合突条に隣接し、かつ前記係合突条と係合凹条との間に形成される隙間には嵌合部材が嵌合されていてもよい。
これによれば、嵌合部材の嵌合により、固定子がその軸方向に沿ってハウジングに対し移動することを確実に防止することができる。
【００１５】
また、上記問題点を解決するために、請求項６に記載の発明は、ハウジング内に固定される固定子を有する回転電機における前記固定子の前記ハウジングへの固定方法であって、前記固定子における固定鉄心の外周面に、該固定鉄心の軸方向一端側から他端側に向かって前記固定鉄心の周方向へ延びる係合突条を形成するとともに、前記ハウジングの内周面に、該ハウジングの軸方向一端側から他端側に向かって前記ハウジングの周方向へ延びる係合凹条を形成し、前記係合突条の他端を前記係合凹条の一端に挿入し、前記固定子を前記固定鉄心の中心軸を回転中心として回転させながら固定子を前記ハウジング内へ送り込み、前記係合突条を前記係合凹条に係合させて前記固定子を前記ハウジングに固定するものである。
【００１６】
これによれば、固定子を回転させながら係合突条を係合凹条に送り込むことで、係合突条を係合凹条に係合させることができる。そして、係合突条と係合凹条とがそれぞれ周方向へ延びるように形成されている。このため、係合突条と係合凹条とが係合すると、固定子が軸方向へ移動しようとしても、係合凹条の内面に係合突条が係合し、固定子がその軸方向に沿ってハウジングに対し移動することを規制することができる。したがって、固定子の軸方向への移動を規制するために、固定子の外周面に接着剤を塗布する必要がなく、固定子のハウジングへの固定を容易に行うことができる。
【００１７】
また、前記ハウジングの周方向に沿って前記係合突条に隣接し、かつ前記係合突条と係合凹条との間に形成される隙間に嵌合部材を嵌合してもよい。これによれば、嵌合部材の嵌合により、固定子がその軸方向に沿ってハウジングに対し移動することを確実に防止することができる。
【発明の効果】
【００１８】
本発明によれば、固定子の軸方向に沿った移動を規制することができるとともに、固定子のハウジングへの固定を容易に行うことができる。
【図面の簡単な説明】
【００１９】
【図１】実施形態の電動圧縮機を示す断面図。
【図２】（ａ）は固定鉄心を示す側面図、（ｂ）は固定鉄心を示す平面図。
【図３】（ａ）はリヤハウジングを示す断面図、（ｂ）はリヤハウジングの平面図。
【図４】リヤハウジングに対し固定子を挿入する前の状態を示す斜視図。
【図５】ハウジングに固定子が固定された状態を示す断面図。
【図６】ハウジングに固定子が固定された状態を示す図１の６−６線断面図。
【発明を実施するための形態】
【００２０】
以下、本発明の回転電機及び固定子の固定方法を電動機たる電動モータ及び固定鉄心の固定方法に具体化した一実施形態を図１〜図６にしたがって説明する。
まず、電動モータを備える電動圧縮機について説明する。図１に示すように、電動圧縮機１０のハウジング１１は、有底筒状をなすリヤハウジング１２と、そのリヤハウジング１２の開口端に接合されたフロントハウジング１３とから構成されている。そして、ハウジング１１内には、電動モータＭが収容されるとともに、電動モータＭにより駆動される圧縮機構Ｃが収容されている。本実施形態では、圧縮機構Ｃはスクロールタイプとなっている。ハウジング１１内には、電動モータＭの駆動力によって回転する駆動軸１４が収容されている。この駆動軸１４は、一端が圧縮機構Ｃに連結されるとともに、他端がリヤハウジング１２に設けられた軸受１５によって回転可能に支持されている。
【００２１】
次に、電動モータＭについて説明する。電動モータＭは、リヤハウジング１２の内周面に固定された固定子２０と、この固定子２０内に配設された回転子２１とから構成されている。図６に示すように、回転子２１は、駆動軸１４に一体回転可能に止着されている。
【００２２】
固定子２０は、略円環状の固定鉄心２２を備えるとともに、この固定鉄心２２に形成された複数のティース２２ａにコイル２３が巻回されて構成されている。図２（ａ）に示すように、固定鉄心２２は、プレス加工などにより略円板状に成形された鋼鈑としての珪素鋼鈑２２１を複数積層して形成されている。
【００２３】
また、図２（ａ）及び（ｂ）に示すように、固定鉄心２２の外周面には、一対の係合突条２２ｂが形成されている。各係合突条２２ｂは、その一端が固定鉄心２２の軸方向（中心軸Ｌの延びる方向）一端面と同一面上に位置するとともに、固定鉄心２２の周方向に沿って螺旋状に延びるように形成され、さらに、各係合突条２２ｂの他端は固定鉄心２２の軸方向他端面と同一面上に位置するように形成されている。すなわち、係合突条２２ｂは、固定鉄心２２の外周面に沿うように延びながら固定鉄心２２の一端面から他端面に向かって延びている。よって、固定鉄心２２が延びる周方向とは、本実施形態では、固定鉄心２２の軸方向に対し傾斜するように固定鉄心２２の周面（外周面）に沿って延びることを示している。
【００２４】
また、一対の係合突条２２ｂは、それぞれの一端が固定鉄心２２の一本の径線Ｊ１上に位置するとともに、それぞれの他端が固定鉄心２２の一本の径線Ｊ２上に位置するように形成されている。すなわち、一対の係合突条２２ｂは、固定鉄心２２の径方向に対向する位置に形成されている。
【００２５】
両係合突条２２ｂの一端から他端に向かって延びる方向は、同じになっており、本実施形態では、両係合突条２２ｂは時計回り方向に沿って一端から他端に向かって延びるように形成されている。そして、一対の係合突条２２ｂにより、固定鉄心２２の外周面には二条螺子が形成されている。
【００２６】
各係合突条２２ｂは、複数の珪素鋼鈑２２１それぞれの周縁から突設された一対の突部２２１ａが、固定鉄心２２の周方向に沿って順にずれていくように、複数の珪素鋼鈑２２１を周方向へ順にずらして積層することで形成されている。各突部２２１ａの先端縁は、珪素鋼鈑２２１の周方向に沿って延びるとともに、珪素鋼鈑２２１の外周縁と同心をなす円弧状に形成されている。なお、突部２２１ａの先端縁は、珪素鋼鈑２２１の外周縁と同心をなさない円弧状であってもよく、直線状に形成されていてもよい。
【００２７】
ここで、図２（ａ）に示すように、珪素鋼鈑２２１の外周縁の延長線上を通過し、かつ突部２２１ａの突出方向に対し直交して延びる直線を、接線Ｆ１とする。この接線Ｆ１の延びる方向に沿った突部２２１ａの長さを、突部２２１ａの幅Ｗ１とする。突部２２１ａは、珪素鋼鈑２２１の外周縁から一定の幅Ｗ１を有するように、珪素鋼鈑２２１の径方向に突出するとともに、その先端縁のみが円弧状に形成されている。
【００２８】
そして、治具（図示せず）を用いて複数の珪素鋼鈑２２１を積層していく際、治具にセットされた珪素鋼鈑２２１に対し、次に積層される珪素鋼鈑２２１を周方向へ僅かに回転させ、治具にセットされた突部２２１ａに対し、次に積層される珪素鋼鈑２２１の突部２２１ａの位置を周方向へ僅かにずらす。そして、積層された複数の突部２２１ａそれぞれが周方向へずれていくことにより、固定鉄心２２の外周面には、その外周面に沿って螺旋状に延びる係合突条２２ｂが形成される。
【００２９】
次に、上記構成の電動モータＭをリヤハウジング１２に固定するために、リヤハウジング１２に形成される構造について説明する。
図３（ａ）に示すように、リヤハウジング１２の底側には、小径部１２ａが形成されている。また、リヤハウジング１２において、小径部１２ａよりリヤハウジング１２の軸方向一端側（開口端側）には、内径が小径部１２ａより大径をなす中径部１２ｂが形成されている。中径部１２ｂの内径は、固定鉄心２２の外径より僅かに大きく形成されており、固定鉄心２２を回転させながら中径部１２ｂ内に挿入可能になっている。
【００３０】
さらに、リヤハウジング１２において、中径部１２ｂよりリヤハウジング１２の一端側（開口端側）には、内径が中径部１２ｂより大径をなす大径部１２ｃが形成されている。そして、リヤハウジング１２の内周面には、小径部１２ａと中径部１２ｂとの内径の差により当接段部１２ｄが形成されている。また、リヤハウジング１２の内周面には、中径部１２ｂと大径部１２ｃの内径の差により段部１２ｅが形成されている。
【００３１】
中径部１２ｂの内周面には、一対の係合凹条１２ｆが段部１２ｅ（リヤハウジング１２の軸方向一端側）から当接段部１２ｄ（リヤハウジング１２の軸方向他端側）まで延びるように形成されている。各係合凹条１２ｆは、その一端が段部１２ｅ上に開口するとともに、中径部１２ｂの周方向に沿って螺旋状に延びるように形成され、さらに、係合凹条１２ｆの他端は当接段部１２ｄ上に位置するように形成されている。また、図３（ｂ）に示すように、一対の係合凹条１２ｆは、それぞれの一端側開口が中径部１２ｂの一本の径線Ｊ３線上に位置するとともに、それぞれの他端側開口が中径部１２ｂの一本の径線Ｊ４上に位置するように形成されている。すなわち、一対の係合凹条１２ｆは、中径部１２ｂの径方向に対向する位置に形成されている。
【００３２】
両係合凹条１２ｆの一端から他端に向かって延びる方向は、同じになっており、本実施形態では、両係合凹条１２ｆは時計回り方向に沿って一端から他端に向かって延びるように形成されている。そして、一対の係合凹条１２ｆにより、中径部１２ｂの内周面には二条の螺子溝が形成されている。
【００３３】
中径部１２ｂの内周面から係合凹条１２ｆの内底面までの長さ、すなわち、係合凹条１２ｆの深さは一定である。そして、係合凹条１２ｆの深さは、係合突条２２ｂを形成する各突部２２１ａの突出高さより深くなっている。
【００３４】
ここで、中径部１２ｂの内周面の延長線上を通過し、かつ係合凹条１２ｆの深さ方向に対し直交して延びる直線を、接線Ｆ２とする。この接線Ｆ２の延びる方向に沿った係合凹条１２ｆの長さを、係合凹条１２ｆの開口幅Ｗ２とすると、各係合凹条１２ｆの開口幅Ｗ２は、各突部２２１ａの幅Ｗ１より若干大きく形成されている。
【００３５】
図５に示すように、電動モータＭがリヤハウジング１２に固定された状態では、固定鉄心２２の他端面が当接段部１２ｄに当接して、固定子２０のリヤハウジング１２の軸方向他端側（底側）への移動が規制されている。また、各係合凹条１２ｆに係合突条２２ｂが挿入されるとともに、係合凹条１２ｆと係合突条２２ｂが互いに係合して、固定子２０の軸方向への移動及び周方向への移動が規制されている。さらに、図５及び図６に示すように、各係合凹条１２ｆと係合突条２２ｂとの間には、中径部１２ｂの周方向に沿って係合突条２２ｂに隣接する隙間が形成されている。この隙間には、嵌合部材としての嵌合ピンＰが嵌合されている。そして、嵌合ピンＰの嵌合により固定子２０の軸方向への移動が防止されている。  
【００３６】
次に、リヤハウジング１２に固定子２０を固定する方法について説明する。
なお、固定鉄心２２のティース２２ａにはコイル２３が予め巻き付けられているが、図４ではコイル２３の図示を省略している。
【００３７】
まず、固定鉄心２２をリヤハウジング１２内に収容し、一対の係合突条２２ｂの他端側を、係合凹条１２ｆの一端開口（段部１２ｅ側）に位置合わせし挿入する。そして、図４に示すように、両係合突条２２ｂが係合凹条１２ｆの螺旋の延びる方向に沿うように固定鉄心２２を時計回り方向へ回転させながら係合突条２２ｂを係合凹条１２ｆに挿入する。すると、固定鉄心２２の二条螺子が、中径部１２ｂの二条螺子孔に螺進されるようにして固定鉄心２２が中径部１２ｂ内に送り込まれる。
【００３８】
そして、図１に示すように、固定鉄心２２の他端面が当接段部１２ｄに当接すると、中径部１２ｂ内に固定鉄心２２が配設される。図５に示すように、各係合凹条１２ｆと係合突条２２ｂとの間には、中径部１２ｂの周方向に沿って係合突条２２ｂに隣接する隙間が形成される。そして、この隙間に嵌合部材としての嵌合ピンＰを嵌合させる。すると、固定鉄心２２が、中径部１２ｂの周方向及び軸方向のいずれにも移動規制された状態で中径部１２ｂに固定される。最後に、固定鉄心２２内に回転子２１が配設されて電動モータＭがリヤハウジング１２に固定される。
【００３９】
上記実施形態によれば、以下のような効果を得ることができる。
（１）固定鉄心２２の外周面に沿って、固定鉄心２２の一端から他端に向けて周方向に延びる一対の係合突条２２ｂを形成するとともに、リヤハウジング１２（ハウジング１１）の内周面に、リヤハウジング１２の係合凹条１２ｆを形成した。そして、係合突条２２ｂと係合凹条１２ｆとは互いに係合するため、この係合により、固定鉄心２２、すなわち固定子２０がその軸方向に沿ってリヤハウジング１２に対し移動することを規制することができる。したがって、固定子２０の軸方向への移動を規制するために、固定子２０の外周面に接着剤を塗布する必要がなく、固定子２０のリヤハウジング１２への固定を容易に行うことができ、ひいては電動モータＭのハウジング１１への固定を容易に行うことができる。
【００４０】
（２）固定鉄心２２の外周面に、固定鉄心２２の一端から他端に向けて周方向に延びる一対の係合突条２２ｂを形成するとともに、リヤハウジング１２（ハウジング１１）の内周面に、リヤハウジング１２の周方向に沿って延びる係合凹条１２ｆを形成した。そして、係合突条２２ｂと係合凹条１２ｆとは係合するため、この係合により、固定鉄心２２、すなわち固定子２０がその軸方向に沿ってリヤハウジング１２に対し移動することを規制することができる。よって、リヤハウジング１２に対し、固定子２０を焼き嵌めして固定する場合のように、リヤハウジング１２の収縮の際に固定鉄心２２に径方向外側から内側に向けて押圧されることがなく、押圧に伴う応力によって固定鉄心２２の形状が真円状からずれてしまうことがない。したがって、固定鉄心２２の形状が真円状からずれてしまうことに起因した電動モータＭの振動や騒音の発生を無くすことができる。その結果として、この電動モータＭを用いた電動圧縮機１０は、その運転中の振動を抑えることができる。
【００４１】
（３）固定鉄心２２を形成する複数の珪素鋼鈑２２１それぞれの周縁に一対の突部２２１ａを形成した。そして、固定鉄心２２を形成する際に、突部２２１ａが固定鉄心２２の周方向へ順にずれていくように複数の珪素鋼鈑２２１を積層することにより、固定鉄心２２に係合突条２２ｂを形成した。よって、固定鉄心２２を形成すると同時に係合突条２２ｂを形成することができ、係合突条２２ｂを簡単に形成することができる。
【００４２】
（４）係合突条２２ｂ及び係合凹条１２ｆを、固定鉄心２２の外周面に沿って、固定鉄心２２の一端から他端に向けて螺旋状に延びるように形成した。このため、係合突条２２ｂにより固定鉄心２２の外周面に二条螺子を形成し、係合凹条１２ｆによりリヤハウジング１２の内周面に二条螺子孔を形成することができる。よって、係合突条２２ｂと係合凹条１２ｆとの係合を、螺子と螺子孔の螺合のように行うことができ、固定子２０のリヤハウジング１２への固定作業をスムーズに行うことができる。
【００４３】
（５）係合凹条１２ｆに係合突条２２ｂが係合した状態では、係合突条２２ｂと係合凹条１２ｆとの間に隙間が形成され、この隙間には嵌合ピンＰが嵌合されている。このため、この嵌合ピンＰの嵌合により係合凹条１２ｆ内で係合突条２２ｂががたつくことを確実に防止することができる。
【００４４】
（６）係合凹条１２ｆに係合突条２２ｂが係合した状態では、係合突条２２ｂと係合凹条１２ｆとの間に隙間が形成され、この隙間には嵌合ピンＰが嵌合されている。この嵌合ピンＰの嵌合により、固定子２０がその軸方向に沿ってリヤハウジング１２に対し移動することを確実に防止することができる。
【００４５】
（７）一対の係合突条２２ｂを固定鉄心２２の径方向に対向する位置に形成するとともに、一対の係合凹条１２ｆをリヤハウジング１２の径方向に対向する位置に形成した。このため、固定鉄心２２に対し回転方向への力が作用したとき、その力を一対の係合突条２２ｂを介して係合凹条１２ｆ内面に均等に受承させることができる。
【００４６】
（８）一対の係合突条２２ｂを固定鉄心２２の径方向に対向する位置に形成するとともに、一対の係合凹条１２ｆをリヤハウジング１２の径方向に対向する位置に形成した。このため、係合突条２２ｂと係合凹条１２ｆとの間に隙間が形成されても、その隙間での係合突条２２ｂの可動範囲を、係合突条２２ｂと係合凹条１２ｆが一つずつの場合と比べて小さくすることができる。
【００４７】
（９）固定鉄心２２の外周面に沿って、固定鉄心２２の一端から他端に向けて固定鉄心２２の周方向に沿って螺旋状に延びる一対の係合突条２２ｂを形成するとともに、リヤハウジング１２（ハウジング１１）の内周面に、リヤハウジング１２の周方向に沿って螺旋状に延びる係合凹条１２ｆを形成した。そして、固定子２０を回転させながら係合突条２２ｂを係合凹条１２ｆに送り込むことで、固定子２０をリヤハウジング１２に固定することができる。係合突条２２ｂと係合凹条１２ｆとは螺旋状に係合するため、この係合により、固定子２０がその軸方向に沿ってリヤハウジング１２に対し移動することを規制することができる。したがって、固定子２０の軸方向への移動を規制するために、固定子２０の外周面に接着剤を塗布する必要がなく、固定子２０のリヤハウジング１２への固定を容易に行うことができ、ひいては電動モータＭのハウジング１１への固定を容易にすることができる。
【００４８】
（１０）リヤハウジング１２の内周面には当接段部１２ｄが形成されている。そして、係合凹条１２ｆは、その他端が当接段部１２ｄに達するまで延びるように形成されている。このため、固定子２０を回転させながらリヤハウジング１２に組付けたとき、固定鉄心２２の他端面が当接段部１２ｄに当接し、それ以上の固定鉄心２２の移動が規制されることで、係合突条２２ｂが係合凹条１２ｆに係合したことを認識することができる。
【００４９】
（１１）固定鉄心２２の外周面に沿って、固定鉄心２２の一端から他端に向けて固定鉄心２２の周方向に沿って螺旋状に延びる一対の係合突条２２ｂを形成するとともに、リヤハウジング１２（ハウジング１１）の内周面に、リヤハウジング１２の周方向に沿って螺旋状に延びる係合凹条１２ｆを形成した。そして、固定子２０を回転させながら係合突条２２ｂを係合凹条１２ｆに送り込むことで、固定子２０をリヤハウジング１２に固定することができる。逆に、固定子２０を回転させることで、固定子２０をリヤハウジング１２から容易に組外すことができる。したがって、固定子２０の修理、点検等を容易に行うことができる。
【００５０】
なお、上記実施形態は以下のように変更してもよい。
○  実施形態において、係合突条２２ｂと係合凹条１２ｆとの間に形成される隙間に嵌合ピンＰを嵌合しなくてもよい。
【００５１】
○  実施形態において、係合突条２２ｂと係合凹条１２ｆは一対ずつ設けられなくてもよく、係合突条２２ｂと係合凹条１２ｆを一つずつとし、一つの係合突条２２ｂにより固定鉄心２２に一条螺子を形成するとともに、一つの係合凹条１２ｆによりリヤハウジング１２に一条螺子孔を形成してもよい。又は、係合突条２２ｂと係合凹条１２ｆを三つずつとしてもよい。さらには、係合突条２２ｂと係合凹条１２ｆが係合できるのであれば、係合突条２２ｂと係合凹条１２ｆの数は一致していなくてもよい。
【００５２】
○  実施形態において、係合突条２２ｂ及び係合凹条１２ｆは螺旋状に延びていなくてもよく、固定子２０を回転させることで係合突条２２ｂを係合凹条１２ｆに係合させることができるのであれば、係合突条２２ｂ及び係合凹条１２ｆの形状は実施形態に限定されない。
【００５３】
○  実施形態において、係合突条２２ｂを固定鉄心２２の一端面から他端面まで延びるように形成したが、係合突条２２ｂが固定鉄心２２の周方向へ延びるのであれば、係合突条２２ｂの長さは実施形態に限定されない。
【００５４】
○  実施形態では、嵌合部材としての嵌合ピンＰに具体化したが、嵌合ピンＰ以外に螺子やボルト等に変更してもよい。
○  実施形態では、珪素鋼鈑２２１に形成した突部２２１ａを周方向へ順にずらしていくことにより係合突条２２ｂを形成したが、突部２２１ａが形成されていない珪素鋼鈑２２１を積層し、固定鉄心２２を形成した後、その固定鉄心２２の外周面を切削して係合突条２２ｂを形成してもよい。
【００５５】
○  本実施形態では、回転電機として電動圧縮機１０の駆動源となる電動モータＭに具体化したが、誘導電動機やリラクタンス電動機に具体化してもよく、さらには、電動機に限らず発電機に具体化してもよい。
【００５６】
○  本実施形態では、電動モータＭを備えた電動圧縮機１０として圧縮機構Ｃを、スクロールタイプに具体化したが、ピストンタイプやベーンタイプなどに変更してもよい。
【符号の説明】
【００５７】
Ｍ…回転電機としての電動モータ、Ｐ…嵌合部材としての嵌合ピン、１２…ハウジングとしてのリヤハウジング、１２ｆ…係合凹条、２０…固定子、２２…固定鉄心、２２ｂ…係合突条、２２１…鋼鈑としての珪素鋼鈑、２２１ａ…突部。
【図１】
2011205845.tif 000003
【図２】
2011205845.tif 000004
【図３】
2011205845.tif 000005
【図４】
2011205845.tif 000006
【図５】
2011205845.tif 000007
【図６】
2011205845.tif 000008